(57)【要約】【課題】改ざん防止の機能を外観の体裁を損なわずに付与した包装箱を実現して提供することを課題としている。【解決手段】改ざん防止包装箱を、４面の側壁２〜５と、上蓋７及び底蓋１６と、上蓋の内側に折り込まれる内フラップ１１，１１と、差込片９と、内フラップ１１の内側に折り込まれる押え込みフラップ１２とを備え、前記差込片９が折り目線８に沿って折り返えされて内フラップ１１と押え込みフラップ１２との間に差し込まれ、前記押え込みフラップ１２が、下部開口から箱の内部に収納される物品に押し上げられてその押え込みフラップ１２と内フラップ１１との間に差込片９が挟み込まれるように構成した。【選択図】図３
2018016337.tif 000002
【特許請求の範囲】
【請求項１】
角筒を構成する４面の側壁（２〜５）と、前記角筒の上部開口を塞ぐ上蓋（７）及び下部開口を再封緘不可能に塞ぐ底蓋（１６）と、前記上蓋（７）の内側に折り込まれる対向一対の内フラップ（１１，１１）と、前記上蓋（７）の一辺に折り目線（８）を介して連なる差込片（９）と、前記内フラップ（１１）の内側に折り込まれる押え込みフラップ（１２）とを備え、
前記上蓋（７）は、前記対の内フラップ（１１，１１）が連なった側壁（３，４）と隣り合う位置の側壁（２）の上端に折り目線（１３）を介して連設され、さらに、この上蓋（７）は前記差込片（９）を切り離す破断線（１０）を有し、
前記押え込みフラップ（１２）は、前記上蓋（７）が連設された側壁（２）と対向した位置にある側壁（５）の上端に折り目線（１５）を介して連設され、
前記差込片（９）が、前記折り目線（８）に沿って折り返えされて前記内フラップ（１１）と前記押え込みフラップ（１２）との間に差し込まれ、
前記押え込みフラップ（１２）が、下部開口から箱の内部に収納される物品に押し上げられてその押え込みフラップ（１２）と前記内フラップ（１１）との間に前記差込片（９）が挟み込まれるように構成された改ざん防止包装箱。
【請求項２】
前記上蓋（７）と前記差込片（９）との間にある前記折り目線（８）の両端に切り込み（２２）を入れ、さらに、前記対の内フラップ（１１，１１）の箱の組み立て状態において前記押え込みフラップ（１２）の根元側にくる縁に突片（２３）を設け、前記差込片（９）を前記押え込みフラップ（１２）と内フラップ（１１）との間に差し込んだときに前記突片（２３）が前記切り込み（２２）に差し込まれて係合するようにした請求項１に記載の改ざん防止包装箱。
【請求項３】
箱の下側を、前記底蓋（１６）の内側に折り込まれる対向一対の内フラップ（１７，１７）と、底蓋（１６）が連設された側壁（２）と対向する位置の側壁（５）の下端に折り目線（２１）を介して連設される連結フラップ（１８）を備える構造にし、前記連結フラップ（１８）を対の内フラップ（１７，１７）の外側に折り重ね、その連結フラップ（１８）上に底蓋（１６）を重ねて前記連結フラップ（１８）にその底蓋（１６）を接着して下部開口を封緘するようにした請求項１または２に記載の改ざん防止包装箱。
【発明の詳細な説明】
【技術分野】
【０００１】
この発明は、売り場の陳列棚などに置かれた包装箱入り商品が、いたずらなどによって包装箱が開封された際に、それが一見して判るようにした改ざん防止包装箱に関する。
【背景技術】
【０００２】
いたずらによる開封や異物混入などの防止を目的として開発されている改ざん防止包装箱の従来例として、例えば、下記特許文献１に記載されたものがある。
【０００３】
特許文献１に記載された包装箱は、４面の側壁を有する箱であって、上部開口を塞ぐ蓋と、各蓋の内側に折り込まれる対向配置の一対のフラップと、各蓋の外面上に折り重ねて蓋の外面に接着する上側突片を備えている。
【０００４】
前記蓋と上側突片は対向２側壁の端部にそれぞれ連設され、前記フラップは、もう一組の対向２側壁の端部にそれぞれ連設されている。
【０００５】
また、いたずらによる蓋の開封防止は、上側も下側も同じ構造を採用して行っており、同文献の図１〜図８に示される箱は上下に関して方向性の無い箱になっている。
【先行技術文献】
【特許文献】
【０００６】
【特許文献１】特開２００５−８２６９公報
【発明の概要】
【発明が解決しようとする課題】
【０００７】
特許文献１の包装箱は、蓋の外面に接着した上側突片を剥がすと、蓋の突片接着部に設けた剥離剤層が接着層と一緒に剥がれる。そのため、再接着ができず、いたずらされて上側突片が剥がされると、その上側突片は剥がれたままとなってその剥がれた状況が目視確認可能となる。
【０００８】
このような構成であるので、改ざん防止に関する要求は十分に満たす。しかしながら、
この特許文献１の包装箱は、前記上側突片が蓋の外部に現れる。このために、外観が損なわれ、体裁が重視される化粧品などの商品の包装箱としては期待に十分にそえるものではなく改善の余地を残している。
【０００９】
そこで、この発明は、改ざん防止の機能を外観の体裁を損なわずに付与した包装箱を実現して提供することを課題としている。
【課題を解決するための手段】
【００１０】
上記の課題を解決するため、この発明においては、改ざん防止包装箱を以下の通りに構成した。
即ち、角筒を構成する４面の側壁と、前記角筒の上部開口を塞ぐ上蓋及び下部開口を再封緘不可能に塞ぐ底蓋と、前記上蓋の内側に折り込まれる対向一対の内フラップと、前記上蓋の一辺に折り目線を介して連なる差込片と、前記内フラップの内側に折り込まれる押え込みフラップとを備え、
前記上蓋は、前記対の内フラップが連なった側壁と隣り合う位置の側壁の上端に折り目線を介して連設され、さらに、この上蓋は前記差込片を切り離す破断線を有し、
前記押え込みフラップは、前記上蓋が連設された側壁と対向した位置にある側壁の上端に折り目線を介して連設され、
前記差込片が、前記折り目線に沿って折り返えされて前記内フラップと前記押え込みフラップとの間に差し込まれ、
前記押え込みフラップが、下部開口から箱の内部に収納される物品に押し上げられてその押え込みフラップと前記内フラップとの間に前記差込片が挟み込まれるものにした。
【００１１】
この改ざん防止包装箱は、上蓋を先に閉じ、その後、前記押え込みフラップが箱の内部において垂れ下がれる状況下で上蓋の一辺に連なっている差込片を折り目線に沿って折り曲げ、前記内フラップと前記押え込みフラップとの間に差し込む。
その後、収納対象物品を下部開口から箱の内部に収納し、その物品で押え込みフラップを下から押し上げる。
【００１２】
そして、その後に、下部開口を底蓋によって閉じる。その底蓋は、接着するなどして再封緘を不可能にする。
【００１３】
この改ざん防止包装箱は、上蓋と前記差込片との間にある前記折り目線の両端に切り込みを入れ、さらに、前記対の内フラップの箱の組み立て状態において前記押え込みフラップの根元側に位置する縁に突片を設け、前記差込片を前記押え込みフラップと内フラップとの間に差し込んだときに前記突片が前記切り込みに差し込まれて係合するようにしておくことができる。
【００１４】
なお、前記再封緘不可能な底蓋は、箱の下側を、底蓋の内側に折り込まれる対向一対の内フラップと、底蓋が連設された側壁と対向する位置の側壁の下端に折り目線を介して連設される連結フラップを備える構造にして、前記連結フラップを対の内フラップの外側に折り重ね、その連結フラップ上に底蓋を重ねて連結フラップに底蓋を接着するものが外観に優れて好ましいが、箱の下部開口の封緘は、その構造に限定されない。
【００１５】
蓋の先端に設けた差込片を折り曲げて蓋の内側に差込み、その差込片に設けたロック片などを蓋の内側に折り込まれた内フラップなどに係止させることで差込片の差込み位置からの抜けを防止する箱の封緘構造などがこれまでにいくつか提案されており、そのような封緘構造でも、底蓋の再封緘を不可能にすることができる。
【発明の効果】
【００１６】
この発明の改ざん防止包装箱は、前記押え込みフラップを収納対象の物品で下から押し上げると、その押え込みフラップと内フラップとの間に入り込んでいる差込片が押え込みフラップに押されて上蓋と平行に近い状態になるまで折り曲げられ、前記物品による押え込みフラップの押し上げ終点（物品の収納完了点）で押え込みフラップと内フラップとの間に挟み込まれる。
【００１７】
この状態では、前記差込片の差込み位置からの引き抜きが上蓋によって阻止される。このため、上蓋をあけるには、前記破断線に沿って前記上蓋から前記差込片を切り離す必要があり、これにより、上蓋による上部開口の再封緘ができなくなっていたずらによる開封、改ざんが防止される。
【００１８】
この発明の改ざん防止包装箱は、構造が簡素で組み立てが簡単であり、しかも、上蓋の表面には貼付けられる突片などが存在せず、体裁が重視される商品の包装にも問題なく使用できる見栄えのよい箱になる。
【図面の簡単な説明】
【００１９】
【図１】この発明の改ざん防止包装箱の一例を示す斜視図である。
【図２】図１の箱の展開図である。
【図３】箱の上蓋封緘の第１行程（押え込みフラップの折り曲げ行程）を示す斜視図である。
【図４】箱の上蓋封緘の第２行程（内フラップの折り曲げ行程）を示す斜視図である。
【図５】上蓋を閉じて差込片を押え込みフラップと内フラップとの間に差し込んだ状態を示す断面図である。
【図６】差込片の差込み後に押え込みフラップを収納対象物品で押し上げた状態（上蓋封緘の完了状態）を図１のVI−VI線に沿って示す要部の断面図である。
【図７】上蓋に設けた破断線に沿って差込片を上蓋から切り離した状態を示す断面図である。
【図８】破断線に沿って差込片を上蓋から切り離して内フラップを開いた状態を示す斜視図である。
【発明を実施するための形態】
【００２０】
以下、添付図面の図１〜図８に基づいて、この発明の改ざん防止包装箱の実施の形態を説明する。
【００２１】
例示の改ざん防止包装箱１は、図１及び図２に示すように、角筒を構成する４面の側壁２〜５と、側壁５の一側縁に連ならせた糊代６と、前記角筒の上部開口を塞ぐ上蓋７と、
その上蓋７の先端に折り目線８を介して連ならせた差込片９と、差込片９を上蓋７から切り離すための上蓋７の途中に設けた破断線１０と、上蓋７の内側に折り込まれる対向一対の内フラップ１１，１１と、側壁５に連ねた押え込みフラップ１２を有する。
【００２２】
上蓋７は、側壁２の上端に折り目線１３を介して連設され、対の内フラップ１１，１１は、対向配置される側壁３，４の上端に折り目線１４，１４を介して連設され、さらに、押え込みフラップ１２は側壁２に対向させる側壁５の上端に折り目線１５を介して連設されている。
【００２３】
４面の側壁で構成される前記角筒の下部開口の封緘は、例示の包装箱では底蓋１６と、その底蓋１６の内側に折り込まれる対向一対の内フラップ１７，１７と、その対の内フラップ１７と底蓋１６との間に折り込まれる連結フラップ１８とによってなされる。
【００２４】
底蓋１６は、側壁２の下端に折り目線１９を介して連設され、内フラップ１７，１７は、側壁３，４の下端に折り目線２０を介して連設され、さらに、連結フラップ１８は側壁５の下端に折り目線２１を介して連設されている。
【００２５】
なお、例示の改ざん防止包装箱１には、折り目線８の両端に切り込み２２が形成され、さらに、対の内フラップ１１，１１の箱の組み立て状態において押え込みフラップ１２の根元側に位置する縁に突片２３，２３を設けている。
【００２６】
図２の２４は各側壁２，３，４，５間の折り目線、２５は側壁５と糊代６との間の折り目線である。
【００２７】
以上の要素で構成される例示の改ざん防止包装箱１は、糊代６を側壁３の一側縁に糊付けして４面からなる角筒を構成する。
【００２８】
その後、図３に示すように、押え込みフラップ１２を折り目線１５に沿って内側に折り曲げ、次いで、図４に示すように、対の内フラップ１１，１１を折り目線１４に沿って内側に折り曲げる。
【００２９】
そして、この後に、図５に示すように、上蓋７を折り目線１３に沿って折り曲げて内フラップ１１上に重ね、さらに、差込片９を折り目線８に沿って折り曲げて押え込みフラップ１２と内フラップ１１との間に差し込む。
【００３０】
この差込み時に、押え込みフラップ１２は、先端側（自由端側）の垂れ下がりが許容される状態になっているため、差込片９に押されて先端側が大きく垂れ下がる方向に逃げ、これにより、差込片９の差込が支障なく進行する。
【００３１】
以上の作業を終えたら、未封緘の下部開口から図６に示すように、箱の内部に収納対象の物品Ａを挿入する。そして、その物品Ａで押え込みフラップ１２を下から押し上げる。物品Ａはその押し上げ状態を維持できるサイズのものが収納される。
【００３２】
物品Ａを収納したら、下側の対の内フラップ１７，１７を折り目線２０に沿って内側に
折り曲げ、次いで、連結フラップ１８を折り目線２１に沿って折り曲げて内フラップ１７上に重ね、その後、底蓋１６を折り目線１９に沿って折り曲げて連結フラップ１８上に重ね、その底蓋１６の内面を連結フラップ１８に接着して箱の組み立てと物品Ａの収納を完了する。
【００３３】
図６の状態では、差込片９が押え込みフラップ１２と内フラップ１１との間に挟み込まれ、その差込片９の差込み位置からの引き抜きが上蓋７によって阻止される。
【００３４】
例示の収納箱については、組み立て完了収納状態では、突片２３が切り込み２２に嵌って係合しており、そのために、上蓋７を曲げながら引き抜くことも防止される。
【００３５】
そこで、上蓋７をあける際には、図７及び図８に示すように、破断線１０に沿って差込片９を上蓋７から切り離す。これにより、上蓋７による上部開口の再封緘ができなくなる。そのために、いたずらによる開封、改ざんが防止される。
【００３６】
なお、箱の下部開口の封緘は、実施例に挙げた構造が、見栄えがよく、組み立ても簡単で好ましいが、既述の通り、蓋の再封緘をできないようにする封緘構造は、従来からいくつか知られており、上部ほど目立たない箱の下部の封緘は、既知の構造を採用しても構わない。
【符号の説明】
【００３７】
１          改ざん防止包装箱
２〜５      側壁
６          糊代
７          上蓋
８，１３，１４，１５，１９，２０，２１  折り目線
９          差込片
１０        破断線
１１，１７  内フラップ
１２        押え込みフラップ
１６        底蓋
１８        連結フラップ
２２        切り込み
２３        突片
Ａ          収納対象物品
【図１】
2018016337.tif 000003
【図２】
2018016337.tif 000004
【図３】
2018016337.tif 000005
【図４】
2018016337.tif 000006
【図５】
2018016337.tif 000007
【図６】
2018016337.tif 000008
【図７】
2018016337.tif 000009
【図８】
2018016337.tif 000010